(57)【要約】【課題】エキスパンションジョイント床が地震等で水平方向や上下方向に大きく揺れ動いても免震建物側にエキスパンションジョイント床部材の定位置維持機構を設けることにより、エキスパンションジョイント床部材と、該床部材を架設する凹設部の床目地枠間との隙間を広げることなく最少寸法に維持して保全することができる機構を提供する。【解決手段】免震側支持凹部にはエキスパンションジョイント床部材の載置台とクサビ状に掘り下げた載置台底部、並びに所定間隔を有してクリアランス側に張り出して設けられた床部材支持軸受け金具が設けられており、また前記非免震側支持凹部にはエキスパンションジョイント床部材の先端部がスライド移動可能に載置される先端部載置台が設けられている。【選択図】図８
2014092016.tif 000002
【特許請求の範囲】
【請求項１】
免震建造物と非免震建造物との躯体間に設けられたクリアランスを塞ぐための床用エキスパンションジョイントは免震建造物と非免震建造物との躯体上面を凹設して免震側支持凹部と非免震側支持凹部を形成し、
該免震側支持凹部と非免震側支持凹部間のクリアランス上にエキスパンションジョイント床部材を架設するものであり、
前記免震側支持凹部にはエキスパンションジョイント床部材の載置台とクサビ状に掘り下げた載置台底部並びに所定間隔を有してクリアランス側に張り出して設けられた床部材支持軸受け金具が設けられており、
また前記非免震側支持凹部にはエキスパンションジョイント床部材の先端部がスライド移動可能に載置される先端部載置台とスライドスペース並びにスライドスペースを越える動きをエキスパンションジョイント床部材がした場合に該床部材の先端部が非免震側の床面に乗り上げできるように構成した傾斜面を設けており、
前記免震側支持凹部と非免震側支持凹部間に架設されるエキスパンションジョイント床部材は金属製の床目地枠材、先端枠材、並びに側面枠材を外周部に有する床箱を形成しており、
該床箱の底部には工場にて製作された補強材が装着されており施工現場にて補強材の表面にコンクリートモルタルを充填して石材やタイル等の化粧材を貼着されエキスパンションジョイント床部材を構成するものであり、
該エキスパンションジョイント床部材の外周部に位置する側面枠材の両端寄りの部位には対向して２本の床部材支持軸を固着して設け、
該２本の床部材支持軸は前記エキスパンションジョイント床部材の下部に適宜寸法をもって突出し前記クリアランス側に張り出して設けられた床部材支持軸受け金具に挿着されエキスパンションジョイント床部材を免震側支持凹部側にて支持していることを特徴とする免震エキスパンションジョイント床の定位置維持機構。
【請求項２】
免震建造物と非免震建造物との躯体間に設けられたクリアランスを塞ぐための床用エキスパンションジョイントは免震建造物と非免震建造物との躯体上面を凹設して免震側支持凹部と非免震側支持凹部を形成し、
該免震側支持凹部と非免震側支持凹部間のクリアランス上にエキスパンションジョイント床部材を架設するものであり、
前記免震側支持凹部にはエキスパンションジョイント床部材の載置台とクサビ状に掘り下げた載置台底部並びに所定間隔を有してクリアランス側に張り出して設けられた床部材支持軸受け金具が設けられており、
また前記非免震側支持凹部にはエキスパンションジョイント床部材の先端部がスライド移動可能に載置される先端部載置台とスライドスペース並びにスライドスペースを越える動きをエキスパンションジョイント床部材がした場合に該床部材の先端部が非免震側の床面に乗り上げできるように構成した傾斜面を設けており、
前記免震側支持凹部と非免震側支持凹部間に架設されるエキスパンションジョイント床部材は金属製の床目地枠材、先端枠材、並びに側面枠材を外周部に有する床箱を形成しており、
該床箱の底部には工場にて製作された補強材が装着されており施工現場にて補強材の表面にコンクリートモルタルを充填して石材やタイル等の化粧材を貼着されエキスパンションジョイント床部材を構成するものであり、
該エキスパンションジョイント床部材の免震側支持凹部側床箱の下端部はクサビ状に突出して形成されたクサビ状突起部が設けられており、
該クサビ状突起部が前記免震側支持凹部に設けられたクサビ状に掘り下げた載置台底部上に載置された構成を有しており、
更に該エキスパンションジョイント床部材の外周部に位置する側面枠材の両端寄りの部位には対向して２本の床部材支持軸を固着して設け、
該２本の床部材支持軸は前記エキスパンションジョイント床部材の下部に適宜寸法をもって突出し前記クリアランス側に張り出して設けられた床部材支持軸受け金具に挿着されエキスパンションジョイント床部材を免震側支持凹部側にて支持していることを特徴とする免震エキスパンションジョイント床の定位置維持機構。
【請求項３】
前記非免震側支持凹部に載置されるエキスパンションジョイント床部材の先端枠部材の先端部には樹脂製や金属製のノンスリップカバープレートが設置されており、
該カバープレートは地震によるクリアランスの変動によりエキスパンションジョイント床部材のスライドスペース変動した場合にそのカバープレートを交換することによりクリアランスの変動に対応することを特徴とする請求項１及び請求項２のいずれかに記載された免震エキスパンションジョイント床の定位置維持機構。
【発明の詳細な説明】
【技術分野】
【０００１】
本発明は、免震建造物と非免震建造物との躯体間に設けられたクリアランスを塞ぐためのエキスパンションジョイント床部材とその免震エキスパンションジョイント床部材に用いられる床部材の定位置維持機構に関するものである。
【０００２】
また、本発明は、免震エキスパンションジョイント床において、該エキスパンションジョイント床が地震等で水平方向や上下方向に大きく揺れ動いても免震建物側にエキスパンションジョイント床部材の定位置維持機構を設けることにより、エキスパンションジョイント床部材と、該床部材を架設する凹設部の床目地枠間との隙間を広げることなく最少寸法に維持して保全することができる機構を提供するものである。
【背景技術】
【０００３】
免震建造物においては、建物が地震可動時に大変形を生じることに対する建築的な対応が最重要事項である。この大変形は地盤と建物の間に生じる変形で、この場合に生じる免震建造物と非免震建造物間の相互移動に対応したクリアランスを確保する必要がある。
【０００４】
即ち、外溝部や非免震建物の外部から免震建物への人や車の出入りに相当する動線上で、建物へのアプローチとして一番重要な部分において、躯体間の相互移動に対応できる免震エキスパンションジョイント床が必要となる。
【０００５】
斯くして、最近の建物は、免震化の影響で免震建造物と非免震建造物との躯体間のクリアランスは広がる傾向にある。
【０００６】
従って、免震エキスパンションジョイント床においては、免震建造物と非免震建造物間でクリアランスを確保して躯体間の大きな変形に対応できることが要求され、特にエキスパンションジョイント床部材は大型で堅牢なものが必要となり、また、構造が簡単で安価に製造することができ、且つ、取付作業が簡単であることや、地震による可動時や揺れがおさまった時に免震建造物側においてエキスパンションジョイント床部材と、該床部材を架設する凹設部の床目地枠間との隙間を広げることなく最少寸法に維持して保全できる免震エキスパンションジョイント床の定位置維持機構の具現化が必要である。
【０００７】
また、免震建造物と非免震建造物との躯体間のクリアランスを塞ぐ構成の免震エキスパンションジョイント床の従来例として、特開２００３−１２９５７９号公報（以下、特許文献１と称する。）が開示されている。
【０００８】
特許文献１に開示された従来例では、小さな揺れでは大きく作動しないようにし、また、外観を美しく保つために目地プレート（エキスパンションジョイント床部材）の表面に石材、タイル等の仕上げ材を貼着した重量化にも適合可能なエキスパンションジョイントを提供するものである。
【０００９】
そして、特許文献１の発明は、隣接する躯体間を連結し、該躯体間隙を被覆するエキスパンションジョイントにあって、躯体間隙を被覆するカバー材と一方の躯体の上面を凹設し、カバー材の収納部側端部を載置する収納部と、カバー材を他方の躯体に少なくとも躯体間隙奥行き方向に可動可能に連結する連結部材と、カバー材の裏面に設けられ、前記収納部材に対向する側に傾斜面部を有する支持部材とを備えた構成のエキスパンションジョイントである。
【００１０】
然しながら、特許文献１の発明は、建設現場において、取付施工する際に、カバー材本体、板材、連結部材、支持部材、載置片、充填剤（モルタル）、表面材（石材やタイル）、ブラケット、フレーム材、ストッパー、高さ調整ボルト・ナット等を施工場所に配置してからの取付作業となり、エキスパンションジョイントを構成する部品数が多いことから、取付施業が煩雑で効率の悪いものであった。
【００１１】
また、特許文献１の発明は、所謂、金属箱タイプのエキスパンションジョイント床を構成するカバー本体を有するものであり、ステンレスやスチール製の鋼板、フラットバーやチャンネル及びアングル材を用いて箱型の床構造材を型枠形状に形成し、該床構造材を大きなクリアランス間に架設する構造で、現場において後から箱型の床構造材に充填されるモルタル材は構造材としての確実な役割を果たさないことから、前記ステンレスやスチール製の床構造材は、板厚の大きな材料を用いることや、断面形状の大きなフラットバーやチャンネル材及びアングル材等を用いることになり、コストアップの要因にもなっていた。
【００１２】
更に、特許文献１の発明においては、大きな揺れにより躯体間隙幅方向に狭くなった場合にカバー材が斜めに躯体上に載り上がる様に可動するので、カバー材の連結部材端部は大きな床目地間隙を有していないとカバー材の端部を破損してしまうことになる。従って、特許文献１の発明においては、図３に示す如く通常時において弾性体からなるパッキンを挟持するなどの対策が必要となるが、他の床材面と硬度の異なる幅広のパッキン材からなる床目地の構成はエキスパンションジョイントの大きな欠点となってしまう。
【００１３】
更にまた、特許文献１における図５（ｂ）に示す状態で、地震の揺れが終息してしまった場合には、大きな段差をエキスパンションジョイント部が作ってしまうことになり、即急の修復工事が必要になるが、先の震災後、修復工事ができずに長い間放置されてきたエキスパンションジョイントの事例をみると、カバー材の両端が盛り上がり段差が出来てしまつたものが非常に多かった。
【先行技術文献】
【特許文献】
【００１４】
【特許文献１】特開２００３−１２９５７６号公報
【発明の概要】
【発明が解決しようとする課題】
【００１５】
本発明が解決しようとする課題は施工現場に搬入する免震エキスパンションジョイント床の部品数を極力少なくして取付工程の簡素化とコストダウンを図ることにある。
【００１６】
また、本発明が解決しようとする課題は、免震エキスパンションジョイント床において、該エキスパンションジョイント床が地震等で水平方向や上下方向に大きく揺れ動いても免震建物側にエキスパンションジョイント床部材の定位置維持機構を設けることにより、エキスパンションジョイント床部材と、該床部材を架設する凹設部の床目地枠間との隙間を広げることなく最少寸法に維持して保全することができる機構を提供するものである。
【００１７】
更に、本発明は、免震側支持凹部に免震エキスパンションジョイント床の定位置維持機構が設けられることから、前記非免震側支持凹部に載置されるエキスパンションジョイント床部材の先端枠部材の先端部には樹脂製や金属製のノンスリップカバープレートが設置されており、該カバープレートは地震によるクリアランスの変動によりエキスパンションジョイント床部材のスライドスペースが変動した場合に、そのカバープレートを交換することによりクリアランスの変動に対応する構成を採用することにより、地震後のエキスパンションジョイント床部材の補修を簡単に行えるように構成されている。
【課題を解決するための手段】
【００１８】
本発明は、課題を解決するための手段として、免震建造物と非免震建造物との躯体間に設けられたクリアランスを塞ぐための床用エキスパンションジョイントは免震建造物と非免震建造物との躯体上面を凹設して免震側支持凹部と非免震側支持凹部を形成し、該免震側支持凹部と非免震側支持凹部間のクリアランス上にエキスパンションジョイント床部材を架設するものであり、前記免震側支持凹部にはエキスパンションジョイント床部材の載置台とクサビ状に掘り下げた載置台底部並びに所定間隔を有してクリアランス側に張り出して設けられた床部材支持軸受け金具が設けられており、また前記非免震側支持凹部にはエキスパンションジョイント床部材の先端部がスライド移動可能に載置される先端部載置台とスライドスペース並びにスライドスペースを越える動きをエキスパンションジョイント床部材がした場合に該床部材の先端部が非免震側の床面に乗り上げできるように構成した傾斜面を設けており、前記免震側支持凹部と非免震側支持凹部間に架設されるエキスパンションジョイント床部材は金属製の床目地枠材、先端枠材、並びに側面枠材を外周部に有する床箱を形成しており、該床箱の底部には工場にて製作された補強材が装着されており施工現場にて補強材の表面にコンクリートモルタルを充填して石材やタイル等の化粧材を貼着されエキスパンションジョイント床部材を構成するものであり、該エキスパンションジョイント床部材の外周部に位置する側面枠材の両端寄りの部位には対向して２本の床部材支持軸を固着して設け、該２本の床部材支持軸は前記エキスパンションジョイント床部材の下部に適宜寸法をもって突出し前記クリアランス側に張り出して設けられた床部材支持軸受け金具に挿着されエキスパンションジョイント床部材を免震側支持凹部側にて支持している構成を有する免震エキスパンションジョイント床の定位置維持機構を提供するものである。
【００１９】
また、本発明は、免震建造物と非免震建造物との躯体間に設けられたクリアランスを塞ぐための床用エキスパンションジョイントは免震建造物と非免震建造物との躯体上面を凹設して免震側支持凹部と非免震側支持凹部を形成し、該免震側支持凹部と非免震側支持凹部間のクリアランス上にエキスパンションジョイント床部材を架設するものであり、前記免震側支持凹部にはエキスパンションジョイント床部材の載置台とクサビ状に掘り下げた載置台底部並びに所定間隔を有してクリアランス側に張り出して設けられた床部材支持軸受け金具が設けられており、また前記非免震側支持凹部にはエキスパンションジョイント床部材の先端部がスライド移動可能に載置される先端部載置台とスライドスペース並びにスライドスペースを越える動きをエキスパンションジョイント床部材がした場合に該床部材の先端部が非免震側の床面に乗り上げできるように構成した傾斜面を設けており、前記免震側支持凹部と非免震側支持凹部間に架設されるエキスパンションジョイント床部材は金属製の床目地枠材、先端枠材、並びに側面枠材を外周部に有する床箱を形成しており、該床箱の底部には工場にて製作された補強材が装着されており施工現場にて補強材の表面にコンクリートモルタルを充填して石材やタイル等の化粧材を貼着されエキスパンションジョイント床部材を構成するものであり、該エキスパンションジョイント床部材の免震側支持凹部側床箱の下端部はクサビ状に突出して形成されたクサビ状突起部が設けられており、該クサビ状突起部が前記免震側支持凹部に設けられたクサビ状に掘り下げた載置台底部上に載置された構成を有しており、更に該エキスパンションジョイント床部材の外周部に位置する側面枠材の両端寄りの部位には対向して２本の床部材支持軸を固着して設け、該２本の床部材支持軸は前記エキスパンションジョイント床部材の下部に適宜寸法をもって突出し前記クリアランス側に張り出して設けられた床部材支持軸受け金具に挿着されエキスパンションジョイント床部材を免震側支持凹部側にて支持している構成を有する免震エキスパンションジョイント床の定位置維持機構を提供するものである。
【００２０】
そして、本発明においては、免震側支持凹部に免震エキスパンションジョイント床の定位置維持機構が設けられることから、前記非免震側支持凹部に載置されるエキスパンションジョイント床部材の先端枠部材の先端部には樹脂製や金属製のノンスリップカバープレートが設置されており、該カバープレートは地震によるクリアランスの変動によりエキスパンションジョイント床部材のスライドスペースが変動した場合に、そのカバープレートを交換することによりクリアランスの変動に対応する構成を採用することにより、地震後のエキスパンションジョイント床部材の補修を簡単に行えるようにしている。
【発明の効果】
【００２１】
斯くして、本発明は、施工現場に搬入する免震エキスパンションジョイント床の部品数を極力少なくして取付工程の簡素化とコストダウンを図ることが可能である。
【００２２】
また、本発明は、免震エキスパンションジョイント床において、該エキスパンションジョイント床が地震等で水平方向や上下方向に大きく揺れ動いても免震建物側にエキスパンションジョイント床部材の定位置維持機構を設けることにより、エキスパンションジョイント床部材と、該床部材を架設する凹設部の床目地枠間との隙間を広げることなく最少寸法に維持して保全することができる機構を提供可能にするものである。
【００２３】
更に、本発明は、免震側支持凹部に免震エキスパンションジョイント床の定位置維持機構が設けられることから、前記非免震側支持凹部に載置されるエキスパンションジョイント床部材の先端枠部材の先端部には樹脂製や金属製のノンスリップカバープレートが設置されており、該カバープレートは地震によるクリアランスの変動によりエキスパンションジョイント床部材のスライドスペースが変動した場合に、そのカバープレートを交換することによりクリアランスの変動に対応する構成を採用することにより、地震後のエキスパンションジョイント床部材の補修を簡単に行えるものである。
【図面の簡単な説明】
【００２４】
【図１】（Ａ）本発明を実施する場所を説明する平面図。           （Ｂ）図１（Ａ）の側断面図。
【図２】本発明の構成を説明する斜視図。
【図３】（Ａ）本発明の動作を説明する側断面図で静止状態を示す。           （Ｂ）本発明の動作を説明する側断面図でクリアランスが広くなった状態を示す。           （Ｃ）本発明の動作を説明する側断面図でクリアランスが狭くなった状態を示す。
【図４】本発明の実施例を説明する要部拡大側断面図で静止状態及びクリアランスが広くなった状態を示す。
【図５】本発明の実施例を説明する要部拡大側断面図でクリアランスが狭くなった状態を示す。
【図６】（Ａ）実施例２の動作を説明する側断面図で静止状態を示す。       （Ｂ）実施例２の動作を説明する側断面図でクリアランスが広くなった状態を示す。       （Ｃ）実施例２の動作を説明する側断面図でクリアランが狭くなった状態を示す。
【図７】実施例２を説明する要部拡大側断面図で静止状態及びクリアランスが広くなった状態を示す。
【図８】実施例２を説明する要部拡大側断面図でクリアランスが狭くなった状態を示す。
【発明を実施するための形態】
【００２５】
斯くして、本発明は施工現場に搬入する免震エキスパンションジョイント床の部品数を極力少なくして取付工程の簡素化とコストダウンを図ることにある。
【００２６】
また、本発明は、免震エキスパンションジョイント床において、該エキスパンションジョイント床が地震等で水平方向や上下方向に大きく揺れ動いても免震建物側にエキスパンションジョイント床部材の定位置維持機構を設けることにより、エキスパンションジョイント床部材と、該床部材を架設する凹設部の床目地枠間との隙間を広げることなく最少寸法に維持して保全することができる機構を提供するものである。
【００２７】
本発明は、課題を解決するための手段として、免震建造物と非免震建造物との躯体間に設けられたクリアランスを塞ぐための床用エキスパンションジョイントは免震建造物と非免震建造物との躯体上面を凹設して免震側支持凹部と非免震側支持凹部を形成し、該免震側支持凹部と非免震側支持凹部間のクリアランス上にエキスパンションジョイント床部材を架設するものであり、前記免震側支持凹部にはエキスパンションジョイント床部材の載置台とクサビ状に掘り下げた載置台底部並びに所定間隔を有してクリアランス側に張り出して設けられた床部材支持軸受け金具が設けられており、また前記非免震側支持凹部にはエキスパンションジョイント床部材の先端部がスライド移動可能に載置される先端部載置台とスライドスペース並びにスライドスペースを越える動きをエキスパンションジョイント床部材がした場合に該床部材の先端部が非免震側の床面に乗り上げできるように構成した傾斜面を設けており、前記免震側支持凹部と非免震側支持凹部間に架設されるエキスパンションジョイント床部材は金属製の床目地枠材、先端枠材、並びに側面枠材を外周部に有する床箱を形成しており、該床箱の底部には工場にて製作された補強材が装着されており施工現場にて補強材の表面にコンクリートモルタルを充填して石材やタイル等の化粧材を貼着されエキスパンションジョイント床部材を構成するものであり、該エキスパンションジョイント床部材の外周部に位置する側面枠材の両端寄りの部位には対向して２本の床部材支持軸を固着して設け、該２本の床部材支持軸は前記エキスパンションジョイント床部材の下部に適宜寸法をもって突出し前記クリアランス側に張り出して設けられた床部材支持軸受け金具に挿着されエキスパンションジョイント床部材を免震側支持凹部側にて支持している構成を有することが好ましい。
【００２８】
また、本発明は、免震建造物と非免震建造物との躯体間に設けられたクリアランスを塞ぐための床用エキスパンションジョイントは免震建造物と非免震建造物との躯体上面を凹設して免震側支持凹部と非免震側支持凹部を形成し、該免震側支持凹部と非免震側支持凹部間のクリアランス上にエキスパンションジョイント床部材を架設するものであり、前記免震側支持凹部にはエキスパンションジョイント床部材の載置台とクサビ状に掘り下げた載置台底部並びに所定間隔を有してクリアランス側に張り出して設けられた床部材支持軸受け金具が設けられており、また前記非免震側支持凹部にはエキスパンションジョイント床部材の先端部がスライド移動可能に載置される先端部載置台とスライドスペース並びにスライドスペースを越える動きをエキスパンションジョイント床部材がした場合に該床部材の先端部が非免震側の床面に乗り上げできるように構成した傾斜面を設けており、前記免震側支持凹部と非免震側支持凹部間に架設されるエキスパンションジョイント床部材は金属製の床目地枠材、先端枠材、並びに側面枠材を外周部に有する床箱を形成しており、該床箱の底部には工場にて製作された補強材が装着されており施工現場にて補強材の表面にコンクリートモルタルを充填して石材やタイル等の化粧材を貼着されエキスパンションジョイント床部材を構成するものであり、該エキスパンションジョイント床部材の免震側支持凹部側床箱の下端部はクサビ状に突出して形成されたクサビ状突起部が設けられており、該クサビ状突起部が前記免震側支持凹部に設けられたクサビ状に掘り下げた載置台底部上に載置された構成を有しており、更に該エキスパンションジョイント床部材の外周部に位置する側面枠材の両端寄りの部位には対向して２本の床部材支持軸を固着して設け、該２本の床部材支持軸は前記エキスパンションジョイント床部材の下部に適宜寸法をもって突出し前記クリアランス側に張り出して設けられた床部材支持軸受け金具に挿着されエキスパンションジョイント床部材を免震側支持凹部側にて支持している構成を有することが好ましい。
【００２９】
そして、本発明においては、免震側支持凹部に免震エキスパンションジョイント床の定位置維持機構が設けられることから、前記非免震側支持凹部に載置されるエキスパンションジョイント床部材の先端枠部材の先端部には樹脂製や金属製のノンスリップカバープレートが設置されており、該カバープレートは地震によるクリアランスの変動によりエキスパンションジョイント床部材のスライドスペースが変動した場合に、そのカバープレートを交換することによりクリアランスの変動に対応する構成を採用することにより、地震後のエキスパンションジョイント床部材の補修を簡単に行えるようにしていることが好ましい。
【００３０】
而して、本発明は、施工現場に搬入する免震エキスパンションジョイント床の部品数を極力少なくして取付工程の簡素化とコストダウンを図ることが可能である。
【００３１】
また、本発明は、免震エキスパンションジョイント床において、該エキスパンションジョイント床が地震等で水平方向や上下方向に大きく揺れ動いても免震建物側にエキスパンションジョイント床部材の定位置維持機構を設けることにより、エキスパンションジョイント床部材と、該床部材を架設する凹設部の床目地枠間との隙間を広げることなく最少寸法に維持して保全することができる機構を提供可能にするものである。
【００３２】
更に、本発明は、免震側支持凹部に免震エキスパンションジョイント床の定位置維持機構が設けられることから、前記非免震側支持凹部に載置されるエキスパンションジョイント床部材の先端枠部材の先端部には樹脂製や金属製のノンスリップカバープレートが設置されており、該カバープレートは地震によるクリアランスの変動によりエキスパンションジョイント床部材のスライドスペースが変動した場合に、そのカバープレートを交換することによりクリアランスの変動に対応する構成を採用することにより、地震後のエキスパンションジョイント床部材の補修を簡単に行えるものである。
【実施例１】
【００３３】
本発明の実施例１を図１乃至図５に基づいて説明する。図１（Ａ）は、本発明を実施する場所を説明する平面図であり、図１（Ｂ）は、図１（Ａ）の側断面図を示している。また、図２は、本発明の構成を説明する斜視図、図３（Ａ）、（Ｂ）、（Ｃ）は実施例１の動作を説明する側断面図で、図４は、実施例１を説明する要部拡大側断面図で静止状態及びクリアランスが広くなった状態を示しており、図５は実施例１を説明する要部拡大側断面図でクリアランスが狭くなった状態を夫々示している。
【００３４】
図１乃至図５において、１は免震建造物、２は非免震建造物、Ｃは免震建造物１と非免震建造物２との躯体３、４間に設けられたクリアランスであり、躯体３、４間の上面には凹設された免震側支持凹部５と非免震側支持凹部６が設けられており、エキスパンションジョイント床部材７、７ａ、７ｂ、７ｃ・・・は前記免震側支持凹部５と非免震側支持凹部６間に架設されクリアランスＣを塞ぐように配置されており、免震エキスパンションジョイント８構成している。
【００３５】
尚、図１（Ａ）、（Ｂ）において９ａ、９ｂは夫々のエキスパンションジョイント床部材７、７ａ、７ｂ、７ｃ・・・に設けられた免震エキスパンションジョイント床の定位置維持機構部であり、１０は免震建造物の外壁部、１１ａ、１１ｂは床面を示している。
【００３６】
而して前記エキスパンションジョイント床部材７、７ａ、７ｂ、７ｃ・・・の構成は、スチールやステンレスからなる金属製の床目地枠材１２、先端枠材１３、並びに側面枠材１４ａ、１４ｂを外周部に有する床箱１５を形成しており、該床箱１５の底部には工場にて製作された補強材１６が装着されており、施工現場にて補強材１６の表面にコンクリートモルタルを充填して石材やタイル等の化粧材１７を貼着してエキスパンションジョイント床部材７、７ａ、７ｂ、７ｃ・・・を構成するものであり、前記免震エキスパンションジョイント床の定位置維持機構部９ａ、９ｂは、エキスパンションジョイント床部材７、７ａ、７ｂ、７ｃ・・・の外周部に位置する側面枠材１４ａ、１４ｂの両端寄りの部位に固定されたボックス１８ａ、１８ｂを介して床部材支持軸１９ａ、１９ｂを固着して設けており、該床部材支持軸１９ａ、１９ｂは、前記エキスパンションジョイント床部材７、７ａ、７ｂ、７ｃ・・・の下部に適宜寸法をもって突出し、前記クリアランスＣ側に張り出して設けられた床部材支持軸受け金具２０ａ、２０ｂのルーズホール２１ａ、２１ｂに挿着されエキスパンションジョイント床部材７、７ａ、７ｂ、７ｃ・・・を免震側支持凹部５側にて支持している。
【００３７】
次に、前記床部支持軸１９ａ、１９ｂを挿着する床部材支持軸受け金具２０ａ、２０ｂを説明すると、該床部材支持軸受け金具２０ａ、２０ｂは前記免震側支持凹部５側に設けられおり、該免震側支持凹部５側にはエキスパンションジョイント床部材７、７ａ、７ｂ、７ｃ・・の載置台２２ａとクサビ状に掘り下げた載置台底部２３、並びに所定間隔を有してクリアランスＣ側に張り出して設けられた床部材支持軸受け金具２０ａ、２０ｂが設けられており、該床部材支持軸受け金具２０ａ、２０ｂはセットとして１枚のエキスパンションジョイント床部材７、７ａ、７ｂ、７ｃ・・・を免震建造物１の免震側支持凹部５側で支持している。
【００３８】
また、前記非免震支持凹部６に形状は、非免震支持凹部６上にエキスパンションジョイント床部材７、７ａ、７ｂ、７ｃ・・・の先端部がスライド移動可能に載置される先端部の載置台２２ｂとスライドスペース２４、並びにスライドスペース２４を越える動きをエキスパンションジョイント床部材７、７ａ、７ｂ、７ｃ・・・がした場合に、該エキスパンションジョイント床部材７、７ａ、７ｂ、７ｃ・・・の先端部が非免震側の床面１１ｂに乗り上げできるように構成した傾斜面２５が設けられている。
【００３９】
図３（Ａ）、（Ｂ）、（Ｃ）は静止状態のクリアランスＣが地震によりＣ１、Ｃ２と動いた時の状態を示す動作説明図である。図３（Ａ）は、エキスパンションジョイント床部材７が現場に施工された時の状態を示すものであり、所謂、静止状態のエキスパンションジョイント床部材７を示している。図３（Ａ）おいて、エキスパンションジョイント床部材７は床部材支持軸１９ａ、１９ｂにより免震側支持凹部５側に設けられた
床部材支持軸受け金具２０ａ、２０ｂのルーズホール２１ａ、２１ｂに挿着され免震建造物１側に一体化されている。また、床部材支持軸１９ａ、１９ｂを固着収納したボックス１８ａ、１８ｂは、蓋を閉めた後モルタル等を介して石材やタイル等の化粧材１７にて仕上げ加工が施され免震側支持凹部５と非免震側支持凹部６間に架設されている。
【００４０】
図３（Ｂ）は、地震によりクリアランスＣがＣ１の様に広がった場合の状況を図示している。図３（Ｂ）において、エキスパンションジョイント床部材７は、床部材支持軸１９ａ、１９ｂにより免震側支持凹部５側に設けられた床部材支持軸受け金具２０ａ、２０ｂのルーズホール２１ａ、２１ｂに挿着され免震建造物１側に一体化されていることから、エキスパンションジョイント床部材７の先端部が前記非免震支持凹部６の載置台２２ｂ上をスライドして、地震の水平移動に対応する。
【００４１】
また、図４は、上述した図３（Ａ）の状況、並びに図３（Ｂ）の状況時におけるエキスパンションジョイント床部材７の床部材支持軸１９ａ部分を拡大表示するものであり、図４において、同一符号は同一構成要素を示しており、前記動作図においては不明であったエキスパンションジョイント床部材７の載置台２２ａとクサビ状に掘り下げた載置台底部２３、並びに所定間隔を有してクリアランスＣ側に張り出して設けられた床部材支持軸受け金具２０ａ形状、及びエキスパンションジョイント床部材７が架設される非免震支持凹部６の床目地枠材１２と床用目地部２７との間隙ｔの構成が図示されている。
【００４２】
そして、図３（Ｃ）は地震によりクリアランスＣがＣ２の様に狭まった場合の状況を図示している。図３（Ｃ）において、エキスパンションジョイント床部材７は、床部材支持軸１９ａ、１９ｂにより免震側支持凹部５側に設けられた床部材支持軸受け金具２０ａ、２０ｂのルーズホール２１ａ、２１ｂに挿着され免震建造物１側に一体化されていることから、エキスパンションジョイント床部材７の先端部が前記非免震支持凹部６の載置台２２ｂ上をスライドし、先端部の載置台２２ｂとスライドスペース２４を越える動きをエキスパンションジョイント床部材７がした場合に、該エキスパンションジョイント床部材７の先端部が非免震側の床面１１ｂに乗り上げできるように構成した傾斜面２５を設けている。
【００４３】
上述した図３（Ｃ）の状況を床部材支持軸１９ａ部分で拡大した図が、図５に示されている。図５において、同一符号は同一構成要素を示しており、エキスパンションジョイント床部材７の外周部に位置する側面枠材の両端寄りの部位には対向して２本の床部材支持軸１９ａ、１９ｂ（１９ｂは図示せず）を固着して設け、該２本の床部材支持軸１９ａ、１９ｂは、前記エキスパンションジョイント床部材７の下部に適宜寸法をもって突出し前記クリアランスＣ２側に張り出して設けられた床部材支持軸受け金具２０ａ、２０ｂに挿着されエキスパンションジョイント床部材７を免震側支持凹部５側にて支持されており、前記エキスパンションジョイント床部材７の先端部が非免震側の床面１１ｂに乗り上げされることにより、エキスパンションジョイント床部材７が床部材支持軸１９ａを中心に回動することになるが、前記エキスパンションジョイント床部材７の免震支持凹部５側下端部はエキスパンションジョイント床部材７の載置台２２ａのクサビ状に掘り下げた載置台底部２３内に移動して、床目地枠材１２と床用目地部２７との間隙ｔを広げることなく摺動可能であり、地震による揺れが収まった時点では前記図４に示す如く元の状態に戻りやすい構成を有しておりエキスパンションジョイント床部材の定位置維持が可能となる。
【００４４】
斯くして、本発明の実施例１は、免震建造物１と非免震建造物２との躯体３、４間に設けられたクリアランスＣを塞ぐための床用免震エキスパンションジョイント８は免震建造物１と非免震建造物２との躯体上面を凹設して免震側支持凹部５と非免震側支持凹部６を形成し、該免震側支持凹部５と非免震側支持凹部６間のクリアランスＣ上にエキスパンションジョイント床部材７を架設するものであり、前記免震側支持凹部５にはエキスパンションジョイント床部材７の載置台２２ａとクサビ状に掘り下げた載置台底部２３、並びに所定間隔を有してクリアランスＣ側に張り出して設けられた床部材支持軸受け金具２０ａ、２０ｂが設けられており、また前記非免震側支持凹部６にはエキスパンションジョイント床部材７の先端部がスライド移動可能に載置される先端部の載置台２２ｂとスライドスペース２４、並びにスライドスペース２４を越える動きをエキスパンションジョイント床部材７がした場合に該床部材７の先端部が非免震側の床面１１ｂに乗り上げできるように構成した傾斜面２５を設けており、前記免震側支持凹部５と非免震側支持凹部６間に架設されるエキスパンションジョイント床部材７は金属製の床目地枠材１２、先端枠材１３、並びに側面枠材１４ａ、１４ｂを外周部に有する床箱１５を形成しており、該床箱１５の底部には工場にて製作された補強材１６が装着されており施工現場にて補強材１６の表面にコンクリートモルタルを充填して石材やタイル等の化粧材１７を貼着されエキスパンションジョイント床部材７を構成するものであり、該エキスパンションジョイント床部材７の外周部に位置する側面枠材１４ａ、１４ｂの両端寄りの部位には対向して２本の床部材支持軸１９ａ、１９ｂを固着して設け、該２本の床部材支持軸１９ａ、１９ｂは前記エキスパンションジョイント床部材７の下部に適宜寸法をもって突出し前記クリアランスＣ側に張り出して設けられた床部材支持軸受け金具２０ａ、２０ｂに挿着されエキスパンションジョイント床部材７を免震側支持凹部５側にて支持している免震エキスパンションジョイント床の定位置維持機構を提供するものである。
【００４５】
また、本発明の実施例１において、前記非免震側支持凹部５に載置されるエキスパンションジョイント床部材７の先端枠部材の先端部には樹脂製や金属製のノンスリップカバープレート２８が設置されており、該カバープレート２８は地震によるクリアランスの変動によりエキスパンションジョイント床部材７のスライドスペースが変動した場合にそのカバープレート２８を交換することによりクリアランスＣの変動に対応することができるものである。
【００４６】
而して、本発明の実施例１は、施工現場に搬入する免震エキスパンションジョイント床の部品数を極力少なくして取付工程の簡素化とコストダウンを図ることが可能である。
【００４７】
また、実施例１は、免震エキスパンションジョイント床において、該エキスパンションジョイント床が地震等で水平方向や上下方向に大きく揺れ動いても免震建物側にエキスパンションジョイント床部材の定位置維持機構を設けることにより、エキスパンションジョイント床部材と、該床部材を架設する凹設部の床目地枠間との隙間を広げることなく最少寸法に維持して保全することができる機構を提供可能にするものである。
【００４８】
更に、本発明は、免震側支持凹部に免震エキスパンションジョイント床の定位置維持機構が設けられることから、前記非免震側支持凹部に載置されるエキスパンションジョイント床部材の先端枠部材の先端部には樹脂製や金属製のノンスリップカバープレートが設置されており、該カバープレートは地震によるクリアランスの変動によりエキスパンションジョイント床部材のスライドスペースが変動した場合に、そのカバープレートを交換することによりクリアランスの変動に対応する構成を採用することにより、地震後のエキスパンションジョイント床部材の補修を簡単に行えるものである。
【実施例２】
【００４９】
本発明の実施例２を図１及び図２を再度使用して説明する。図１（Ａ）は、本発明を実施する場所を説明する平面図であり、図１（Ｂ）は、図１（Ａ）の側断面図を示している。また、実施例２は、図６の（Ａ）、（Ｂ）、（Ｃ）による動作を説明する側断面図で、図７は、実施例２を説明する要部拡大側断面図で静止状態及びクリアランスが広くなった状態を示しており、図８は実施例２を説明する要部拡大側断面図でクリアランスが狭くなった状態を夫々示している。
【００５０】
図１及び図２、並びに図７及び図８において、１は免震建造物、２は非免震建造物、Ｃは免震建造物１と非免震建造物２との躯体３、４間に設けられたクリアランスであり、躯体３、４間の上面には凹設された免震側支持凹部５と非免震側支持凹部６が設けられており、エキスパンションジョイント床部材７、７ａ、７ｂ、７ｃ・・・は前記免震側支持凹部５と非免震側支持凹部６間に架設されクリアランスＣを塞ぐように配置されており、免震エキスパンションジョイント８構成している。
【００５１】
尚、図１（Ａ）、（Ｂ）において９ａ、９ｂは夫々のエキスパンションジョイント床部材７、７ａ、７ｂ、７ｃ・・・に設けられた免震エキスパンションジョイント床の定位置維持機構部であり、１０は免震建造物の外壁部、１１ａ、１１ｂは床面を示している。
【００５２】
而して前記エキスパンションジョイント床部材７、７ａ、７ｂ、７ｃ・・・の構成は、スチールやステンレスからなる金属製の床目地枠材１２、先端枠材１３、並びに側面枠材１４ａ、１４ｂを外周部に有する床箱１５を形成しており、該床箱１５の免震支持凹部５側の底面下端部はクサビ状に突出して形成されたクサビ状突起部２９が設けられている。また、床箱１５の底部には工場にて製作された補強材１６が装着されており、施工現場にて補強材１６の表面にコンクリートモルタルを充填して石材やタイル等の化粧材１７を貼着してエキスパンションジョイント床部材７、７ａ、７ｂ、７ｃ・・・を構成するものであり、前記免震エキスパンションジョイント床の定位置維持機構部９ａ、９ｂは、エキスパンションジョイント床部材７、７ａ、７ｂ、７ｃ・・・の外周部に位置する側面枠材１４ａ、１４ｂの両端寄りの部位に固定されたボックス１８ａ、１８ｂを介して床部材支持軸１９ａ、１９ｂを固着して設けており、該床部材支持軸１９ａ、１９ｂは、前記エキスパンションジョイント床部材７、７ａ、７ｂ、７ｃ・・・の下部に適宜寸法をもって突出し、前記クリアランスＣ側に張り出して設けられた床部材支持軸受け金具２０ａ、２０ｂのルーズホール２１ａ、２１ｂに挿着されエキスパンションジョイント床部材７、７ａ、７ｂ、７ｃ・・・を免震側支持凹部５側にて支持している。
【００５３】
次に、前記床部支持軸１９ａ、１９ｂを挿着する床部材支持軸受け金具２０ａ、２０ｂを説明すると、該床部材支持軸受け金具２０ａ、２０ｂは前記免震側支持凹部５側に設けられおり、該免震側支持凹部５側にはエキスパンションジョイント床部材７、７ａ、７ｂ、７ｃ・・の載置台２２ａとクサビ状に掘り下げた載置台底部２３が設けられており、該クサビ状に掘り下げた載置台底部２３には前記床箱１５の底面下端部に設けられたクサビ状突起部２９が載置されている。そして、免震側支持凹部５側には所定間隔を有してクリアランスＣ側に張り出して設けられた床部材支持軸受け金具２０ａ、２０ｂが設けられており、該床部材支持軸受け金具２０ａ、２０ｂはセットとして１枚のエキスパンションジョイント床部材７、７ａ、７ｂ、７ｃ・・・を免震建造物１の免震側支持凹部５側で支持している。
【００５４】
また、前記非免震支持凹部６に形状は、非免震支持凹部６上にエキスパンションジョイント床部材７、７ａ、７ｂ、７ｃ・・・の先端部がスライド移動可能に載置される先端部の載置台２２ｂとスライドスペース２４、並びにスライドスペース２４を越える動きをエキスパンションジョイント床部材７、７ａ、７ｂ、７ｃ・・・がした場合に、該エキスパンションジョイント床部材７、７ａ、７ｂ、７ｃ・・・の先端部が非免震側の床面１１ｂに乗り上げできるように構成した傾斜面２５が設けられている。
【００５５】
図６（Ａ）、（Ｂ）、（Ｃ）は、静止状態のクリアランスＣが地震によりＣ１、Ｃ２と動いた時の状態を示す動作説明図である。図６（Ａ）は、エキスパンションジョイント床部材７が現場に施工された時の状態を示すものであり、所謂、静止状態のエキスパンションジョイント床部材７を示している。図６（Ａ）おいて、エキスパンションジョイント床部材７は床部材支持軸１９ａ、１９ｂにより免震側支持凹部５側に設けられた床部材支持軸受け金具２０ａ、２０ｂのルーズホール２１ａ、２１ｂに挿着され免震建造物１側に一体化されている。また、床部材支持軸１９ａ、１９ｂを固着収納したボックス１８ａ、１８ｂは、蓋を閉めた後モルタル等を介して石材やタイル等の化粧材１７にて仕上げ加工が施され免震側支持凹部５と非免震側支持凹部６間に架設されている。
【００５６】
図６（Ｂ）は、地震によりクリアランスＣがＣ１の様に広がった場合の状況を図示している。図６（Ｂ）において、エキスパンションジョイント床部材７は、床部材支持軸１９ａ、１９ｂにより免震側支持凹部５側に設けられた床部材支持軸受け金具２０ａ、２０ｂのルーズホール２１ａ、２１ｂに挿着され免震建造物１側に一体化されていることから、エキスパンションジョイント床部材７の先端部が前記非免震支持凹部６の載置台２２ｂ上をスライドして、地震の水平移動に対応する。
【００５７】
また、図７は、上述した図６（Ａ）の状況、並びに図６（Ｂ）の状況時におけるエキスパンションジョイント床部材７の床部材支持軸１９ａ部分を拡大表示するものであり、図７において、同一符号は同一構成要素を示しており、前記動作図においては不明であったエキスパンションジョイント床部材７の載置台２２ａとクサビ状に掘り下げた載置台底部２３とクサビ状突起部２９の関係、並びに所定間隔を有してクリアランスＣ側に張り出して設けられた床部材支持軸受け金具２０ａ形状、及びエキスパンションジョイント床部材７が架設される非免震支持凹部６の床目地枠材１２と床用目地部２７との間隙ｔの構成が図示されている。
【００５８】
そして、図６（Ｃ）は地震によりクリアランスＣがＣ２の様に狭まった場合の状況を図示している。図６（Ｃ）において、エキスパンションジョイント床部材７は、床部材支持軸１９ａ、１９ｂにより免震側支持凹部５側に設けられた床部材支持軸受け金具２０ａ、２０ｂのルーズホール２１ａ、２１ｂに挿着され免震建造物１側に一体化されていることから、エキスパンションジョイント床部材７の先端部が前記非免震支持凹部６の載置台２２ｂ上をスライドし、先端部の載置台２２ｂとスライドスペース２４を越える動きをエキスパンションジョイント床部材７がした場合に、該エキスパンションジョイント床部材７の先端部が非免震側の床面１１ｂに乗り上げできるように構成した傾斜面２５を設けている。
【００５９】
上述した図６（Ｃ）の状況を床部材支持軸１９ａ部分で拡大した図が、図８に示されている。図８において、同一符号は同一構成要素を示しており、エキスパンションジョイント床部材７の外周部に位置する側面枠材の両端寄りの部位には対向して２本の床部材支持軸１９ａ、１９ｂ（１９ｂは図示せず）を固着して設け、該２本の床部材支持軸１９ａ、１９ｂは、前記エキスパンションジョイント床部材７の下部に適宜寸法をもって突出し前記クリアランスＣ２側に張り出して設けられた床部材支持軸受け金具２０ａ、２０ｂに挿着されエキスパンションジョイント床部材７を免震側支持凹部５側にて支持されており、前記エキスパンションジョイント床部材７の先端部が非免震側の床面１１ｂに乗り上げされることにより、エキスパンションジョイント床部材７が床部材支持軸１９ａを中心に回動することになるが、前記エキスパンションジョイント床部材７の免震支持凹部５側下端部に設けられたクサビ状突起部２９はエキスパンションジョイント床部材７の載置台２２ａのクサビ状に掘り下げた載置台底部２３内に移動して、床目地枠材１２と床用目地部２７との間隙ｔを広げることなく摺動可能であり、地震による揺れが収まった時点では前記図７に示す如く元の状態に戻りやすい構成を有しておりエキスパンションジョイント床部材の定位置維持が可能となる。
【００６０】
斯くして、本発明の実施例２において、免震建造物１と非免震建造物２との躯体３、４間に設けられたクリアランスＣを塞ぐための床用免震エキスパンションジョイント８は免震建造物１と非免震建造物２との躯体上面を凹設して免震側支持凹部５と非免震側支持凹部６を形成し、該免震側支持凹部５と非免震側支持凹部６間のクリアランスＣ上にエキスパンションジョイント床部材７、７ａ、７ｂ、７ｃを架設するものであり、前記免震側支持凹部５にはエキスパンションジョイント床部材７の載置台２２ａとクサビ状に掘り下げた載置台底部２３、並びに所定間隔を有してクリアランスＣ側に張り出して設けられた床部材支持軸受け金具２０ａ、２０ｂが設けられており、また前記非免震側支持凹部５にはエキスパンションジョイント床部材７の先端部がスライド移動可能に載置される先端部の載置台２２ｂとスライドスペース２４、並びにスライドスペース２４を越える動きをエキスパンションジョイント床部材７がした場合に、該床部材７の先端部が非免震側の床面１１ｂに乗り上げできるように構成した傾斜面２５を設けており、前記免震側支持凹部５と非免震側支持凹部６間に架設されるエキスパンションジョイント床部材７は金属製の床目地枠材１２、先端枠材１３、並びに側面枠材１４ａ、１４ｂを外周部に有する床箱１５を形成しており、該床箱１５の底部には工場にて製作された補強材１６が装着されており施工現場にて補強材１６の表面にモルタルコンクリートを充填して石材やタイル等の化粧材１１を貼着されエキスパンションジョイント床部材７を構成するものであり、該エキスパンションジョイント床部材７の免震側支持凹部５側の床箱１５の下端部はクサビ状に突出して形成されたクサビ状突起部２９が設けられており、該クサビ状突起部２９が前記免震側支持凹部５に設けられたクサビ状に掘り下げた載置台底部２３上に載置された構成を有しており、更に該エキスパンションジョイント床部材７の外周部に位置する側面枠材１４ａ、１４ｂの両端寄りの部位には対向して２本の床部材支持軸１９ａ、１９ｂを固着して設け、該２本の床部材支持軸１９ａ、１９ｂは前記エキスパンションジョイント床部材７の下部に適宜寸法をもって突出し前記クリアランスＣ側に張り出して設けられた床部材支持軸受け金具２０ａ、２０ｂに挿着されエキスパンションジョイント床部材７を免震側支持凹部５側にて支持している免震エキスパンションジョイント床の定位置維持機構を提供するものである。
【００６１】
また、本発明の実施例２において、前記非免震側支持凹部５に載置されるエキスパンションジョイント床部材７の先端枠部材の先端部には樹脂製や金属製のノンスリップカバープレート２８が設置されており、該カバープレート２８は地震によるクリアランスの変動によりエキスパンションジョイント床部材７のスライドスペースが変動した場合にそのカバープレート２８を交換することによりクリアランスＣの変動に対応することができるものである。
【００６２】
而して、本発明の実施例１は、施工現場に搬入する免震エキスパンションジョイント床の部品数を極力少なくして取付工程の簡素化とコストダウンを図ることが可能である。
【００６３】
また、実施例２は、免震エキスパンションジョイント床において、該エキスパンションジョイント床が地震等で水平方向や上下方向に大きく揺れ動いても免震建物側にエキスパンションジョイント床部材の定位置維持機構を設けることにより、エキスパンションジョイント床部材と、該床部材を架設する凹設部の床目地枠間との隙間を広げることなく最少寸法に維持して保全することができる機構を提供可能にするものである。
【００６４】
更に、実施例２は、免震側支持凹部に免震エキスパンションジョイント床の定位置維持機構が設けられることから、前記非免震側支持凹部に載置されるエキスパンションジョイント床部材の先端枠部材の先端部には樹脂製や金属製のノンスリップカバープレートが設置されており、該カバープレートは地震によるクリアランスの変動によりエキスパンションジョイント床部材のスライドスペースが変動した場合に、そのカバープレートを交換することによりクリアランスの変動に対応する構成を採用することにより、地震後のエキスパンションジョイント床部材の補修を簡単に行えるものである。
【符号の説明】
【００６５】
１  免震建造物
２  非免震建造物
３  躯体（免震建造物側）
４  躯体（非免震建造物側）
５  免震側支持凹部
６  非免震側支持凹部
７、７ａ、７ｂ、７ｃ・・・  エキスパンションジョイント床部材
８  免震エキスパンションジョイント
９ａ、９ｂ  定位置維持機構部
１０  免震建造物の外壁部
１１ａ、１１ｂ  床面
１２  床目地枠材
１３  先端枠材
１４ａ、１４ｂ  側面枠材
１５  床箱
１６  補強材
１７  化粧材
１８ａ、１８ｂ  ボックス
１９ａ、１９ｂ  床部材支持軸
２０ａ、２０ｂ  床部材支持軸受け金具
２１ａ、２１ｂ  ルーズホール
２２ａ、２２ｂ  載置台
２３  載置台底部
２４  スライドスペース
２５  傾斜面
２６ａ、２６ｂ  蓋
２７  床用目地部
２８  カバープレート
２９  クサビ状突起部
Ｃ、Ｃ１、Ｃ２  クリアランス
【図１】
2014092016.tif 000003
【図２】
2014092016.tif 000004
【図３】
2014092016.tif 000005
【図４】
2014092016.tif 000006
【図５】
2014092016.tif 000007
【図６】
2014092016.tif 000008
【図７】
2014092016.tif 000009
【図８】
2014092016.tif 000010